【手続補正書】
【提出日】平成21年12月24日(2009.12.24)
【手続補正１】
【補正対象書類名】明細書
【補正対象項目名】発明の名称
【補正方法】変更
【補正の内容】
【発明の名称】無線通信方法、無線通信装置、信号生成方法及び信号生成装置
【手続補正２】
【補正対象書類名】明細書
【補正対象項目名】０００１
【補正方法】変更
【補正の内容】
【０００１】
本発明は、無線通信方法、無線通信装置、信号生成方法及び信号生成装置に関する。
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】変更
【補正の内容】
【００２３】
本発明の無線通信方法の一つの態様は、通信相手との通信によって共有された情報を用いて、重み付け合成した信号を送信する、複数のアンテナを有する無線通信装置の無線通信方法であって、送信データを符号化処理した符号化データを出力する符号化ステップと、前記符号化データのうち第１データ系列を蓄積し、前記第１データ系列の出力順番規則を、前記第１データ系列の入力順番規則と異なる順番規則とした第１インターリーブパターンを用いて、前記第１データ系列をインターリーブし、第１インターリーブ後のデータ系列を出力し、前記符号化データのうち前記第１データ系列と異なる第２データ系列を蓄積し、前記第１インターリーブパターンによる出力順番規則とは異なる出力順番規則である第２インターリーブパターンを用いて、前記蓄積した第２データ系列をインターリーブし、第２インターリーブ後のデータ系列を出力するインターリーブステップと、前記第１インターリーブ後のデータ系列を変調した第１の変調信号と、前記第２インターリーブ後のデータ系列を変調した第２の変調信号と、を出力する変調ステップと、前記第１の変調信号及び前記第２の変調信号を重み付け合成して、複数の重み付け合成信号を出力する合成ステップと、前記複数の重み付け合成信号を、前記複数のアンテナを用いて、同一周波数帯域及び同じ時間によって、前記通信相手に送信する送信ステップと、を含む。
【手続補正５】
【補正対象書類名】明細書
【補正対象項目名】００２４
【補正方法】変更
【補正の内容】
【００２４】
本発明の無線通信装置の一つの態様は、送信データを符号化処理した符号化データを出力する符号化部と、前記符号化データのうち第１データ系列を蓄積し、前記第１データ系列の出力順番規則を、前記第１データ系列の入力順番規則と異なる順番規則とした第１インターリーブパターンを用いて、前記第１データ系列をインターリーブし、第１インターリーブ後のデータ系列を出力する第１インターリーバと、前記符号化データのうち前記第１データ系列と異なる第２データ系列を蓄積し、前記第１インターリーブパターンによる出力順番規則とは異なる出力順番規則である第２インターリーブパターンを用いて、前記蓄積した第２データ系列をインターリーブし、第２インターリーブ後のデータ系列を出力する第２インターリーバと、前記第１インターリーブ後のデータ系列を変調した第１の変調信号、及び、前記第２インターリーブ後のデータ系列を変調した第２の変調信号を出力する変調部と、前記第１の変調信号及び前記第２の変調信号を、通信相手との通信によって共有された情報を用いて重み付け合成して、複数の重み付け合成信号を出力する合成部と、前記複数の重み付け合成信号を、複数のアンテナを用いて、同一周波数帯域及び同じ時間によって、前記通信相手に送信する送信部と、を具備する。
【手続補正６】
【補正対象書類名】明細書
【補正対象項目名】００２５
【補正方法】変更
【補正の内容】
【００２５】
本発明によれば、ＳＴＢＣを用いた伝送方法と比較してデータ伝送効率を低下させることなく、かつ最大比合成に近い受信品質を得ることができるといった従来技術では為し得なかった通信を可能とし、さらには比較的少ない演算回数でこれを達成することができるマルチアンテナ通信システムを実現できる。
【手続補正７】
【補正対象書類名】明細書
【補正対象項目名】００２６
【補正方法】削除
【補正の内容】
【手続補正８】
【補正対象書類名】明細書
【補正対象項目名】００２７
【補正方法】削除
【補正の内容】
【手続補正９】
【補正対象書類名】特許請求の範囲
【補正対象項目名】全文
【補正方法】変更
【補正の内容】
【特許請求の範囲】
【請求項１】
通信相手との通信によって共有された情報を用いて、重み付け合成した信号を送信する、複数のアンテナを有する無線通信装置の無線通信方法であって、
送信データを符号化処理した符号化データを出力する符号化ステップと、
前記符号化データのうち第１データ系列を蓄積し、前記第１データ系列の出力順番規則を、前記第１データ系列の入力順番規則と異なる順番規則とした第１インターリーブパターンを用いて、前記第１データ系列をインターリーブし、第１インターリーブ後のデータ系列を出力し、前記符号化データのうち前記第１データ系列と異なる第２データ系列を蓄積し、前記第１インターリーブパターンによる出力順番規則とは異なる出力順番規則である第２インターリーブパターンを用いて、前記蓄積した第２データ系列をインターリーブし、第２インターリーブ後のデータ系列を出力するインターリーブステップと、
前記第１インターリーブ後のデータ系列を変調した第１の変調信号と、前記第２インターリーブ後のデータ系列を変調した第２の変調信号と、を出力する変調ステップと、
前記第１の変調信号及び前記第２の変調信号を重み付け合成して、複数の重み付け合成信号を出力する合成ステップと、
前記複数の重み付け合成信号を、前記複数のアンテナを用いて、同一周波数帯域及び同じ時間によって、前記通信相手に送信する送信ステップと、
を含む無線通信方法。
【請求項２】
前記第１の変調信号は、前記第１インターリーブ後のデータ系列を変調した第１変調シンボルを、データ伝送に用いる複数のサブキャリアに割り当てた第１ＯＦＤＭシンボルに変換した信号であり、
前記第２の変調信号は、前記第２インターリーブ後のデータ系列を変調した第２変調シンボルを、データ伝送に用いる複数のサブキャリアに割り当てた第２ＯＦＤＭシンボルに変換した信号であり、
前記インターリーブステップにおいて蓄積される、前記第１インターリーブ後のデータ系列のデータ数は、前記第１ＯＦＤＭシンボルに含まれる前記データ伝送に用いる複数のサブキャリアの数と、１つの前記第１変調シンボルで伝送するビット数と、を乗じた数であり、
前記インターリーブステップにおいて蓄積される、前記第２インターリーブ後のデータ系列のデータ数は、前記第２ＯＦＤＭシンボルに含まれる前記データ伝送に用いる複数のサブキャリアの数と、１つの前記第２変調シンボルで伝送するビット数と、を乗じた数であり、
前記インターリーブステップにおいて蓄積される、前記第１インターリーブ後のデータ系列のデータ数と前記第２インターリーブ後のデータ系列のデータ数とは、同数である、
請求項１に記載の無線通信方法。
【請求項３】
前記符号化ステップは、
前記送信するデータを符号化処理し、前記第１データ系列と、前記第２データ系列と、に分割して出力する、
請求項１又は２記載の無線通信方法。
【請求項４】
送信データを符号化処理した符号化データを出力する符号化部と、
前記符号化データのうち第１データ系列を蓄積し、前記第１データ系列の出力順番規則を、前記第１データ系列の入力順番規則と異なる順番規則とした第１インターリーブパターンを用いて、前記第１データ系列をインターリーブし、第１インターリーブ後のデータ系列を出力する第１インターリーバと、
前記符号化データのうち前記第１データ系列と異なる第２データ系列を蓄積し、前記第１インターリーブパターンによる出力順番規則とは異なる出力順番規則である第２インターリーブパターンを用いて、前記蓄積した第２データ系列をインターリーブし、第２インターリーブ後のデータ系列を出力する第２インターリーバと、
前記第１インターリーブ後のデータ系列を変調した第１の変調信号、及び、前記第２インターリーブ後のデータ系列を変調した第２の変調信号を出力する変調部と、
前記第１の変調信号及び前記第２の変調信号を、通信相手との通信によって共有された情報を用いて重み付け合成して、複数の重み付け合成信号を出力する合成部と、
前記複数の重み付け合成信号を、複数のアンテナを用いて、同一周波数帯域及び同じ時間によって、前記通信相手に送信する送信部と、
を具備する無線通信装置。
【請求項５】
前記第１の変調信号は、前記第１インターリーブ後のデータ系列を変調した第１変調シンボルを、データ伝送に用いる複数のサブキャリアに割り当てた第１ＯＦＤＭシンボルに変換した信号であり、
前記第２の変調信号は、前記第２インターリーブ後のデータ系列を変調した第２変調シンボルを、データ伝送に用いる複数のサブキャリアに割り当てた第２ＯＦＤＭシンボルに変換した信号であり、
前記第１インターリーバに蓄積される、前記第１インターリーブ後のデータ系列のデータ数は、前記第１ＯＦＤＭシンボルに含まれる前記データ伝送に用いる複数のサブキャリアの数と、１つの前記第１変調シンボルで伝送するビット数と、を乗じた数であり、
前記第２インターリーバに蓄積される、前記第２インターリーブ後のデータ系列のデータ数は、前記第２ＯＦＤＭシンボルに含まれる前記データ伝送に用いる複数のサブキャリアの数と、１つの前記第２変調シンボルで伝送するビット数と、を乗じた数であり、
前記第１インターリーバに蓄積される、前記第１インターリーブ後のデータ系列のデータ数と前記第２インターリーバに蓄積される前記第２インターリーブ後のデータ系列のデータ数とは、同数である、
請求項４に記載の無線通信装置。
【請求項６】
前記符号化部は、
前記送信するデータを符号化処理し、前記第１データ系列と、前記第２データ系列と、に分割して出力する、
請求項４又は５記載の無線通信装置。
【請求項７】
通信相手との通信によって共有された情報を用いて重み付け合成した信号を、複数のアンテナに供給する信号生成装置の信号生成方法であって、
送信データを符号化処理した符号化データを出力する符号化ステップと、
前記符号化データのうち第１データ系列を蓄積し、前記第１データ系列の出力順番規則を、前記第１データ系列の入力順番規則と異なる順番規則とした第１インターリーブパターンを用いて、前記第１データ系列をインターリーブし、第１インターリーブ後のデータ系列を出力し、前記符号化データのうち前記第１データ系列と異なる第２データ系列を蓄積し、前記第１インターリーブパターンによる出力順番規則とは異なる出力順番規則である第２インターリーブパターンを用いて、前記蓄積した第２データ系列をインターリーブし、第２インターリーブ後のデータ系列を出力するインターリーブステップと、
前記第１インターリーブ後のデータ系列を変調した第１の変調信号と、前記第２インターリーブ後のデータ系列を変調した第２の変調信号と、を出力する変調ステップと、
前記第１の変調信号及び前記第２の変調信号を重み付け合成して、複数の重み付け合成信号を出力する合成ステップと、
前記複数の重み付け合成信号を、同一周波数帯域及び同じ時間によって、前記通信相手に送信する前記複数のアンテナに出力するための信号出力ステップと、
を含む信号生成方法。
【請求項８】
前記第１の変調信号は、前記第１インターリーブ後のデータ系列を変調した第１変調シンボルを、データ伝送に用いる複数のサブキャリアに割り当てた第１ＯＦＤＭシンボルに変換した信号であり、
前記第２の変調信号は、前記第２インターリーブ後のデータ系列を変調した第２変調シンボルを、データ伝送に用いる複数のサブキャリアに割り当てた第２ＯＦＤＭシンボルに変換した信号であり、
前記インターリーブステップにおいて蓄積される、前記第１インターリーブ後のデータ系列のデータ数は、前記第１ＯＦＤＭシンボルに含まれる前記データ伝送に用いる複数のサブキャリアの数と、１つの前記第１変調シンボルで伝送するビット数と、を乗じた数であり、
前記インターリーブステップにおいて蓄積される、前記第２インターリーブ後のデータ系列のデータ数は、前記第２ＯＦＤＭシンボルに含まれる前記データ伝送に用いる複数のサブキャリアの数と、１つの前記第２変調シンボルで伝送するビット数と、を乗じた数であり、
前記インターリーブステップにおいて蓄積される、前記第１インターリーブ後のデータ系列のデータ数と前記第２インターリーブ後のデータ系列のデータ数とは、同数である、
請求項７に記載の信号生成方法。
【請求項９】
前記符号化ステップは、
前記送信するデータを符号化処理し、前記第１データ系列と、前記第２データ系列と、に分割して出力する、
請求項７又は８記載の信号生成方法。
【請求項１０】
送信データを符号化処理した符号化データを出力する符号化部と、
前記符号化データのうち第１データ系列を蓄積し、前記第１データ系列の出力順番規則を、前記第１データ系列の入力順番規則と異なる順番規則とした第１インターリーブパターンを用いて、前記第１データ系列をインターリーブし、第１インターリーブ後のデータ系列を出力する第１インターリーバと、
前記符号化データのうち前記第１データ系列と異なる第２データ系列を蓄積し、前記第１インターリーブパターンによる出力順番規則とは異なる出力順番規則である第２インターリーブパターンを用いて、前記蓄積した第２データ系列をインターリーブし、第２インターリーブ後のデータ系列を出力する第２インターリーバと、
前記第１インターリーブ後のデータ系列を変調した第１の変調信号、及び、前記第２インターリーブ後のデータ系列を変調した第２の変調信号を出力する変調部と、
前記第１の変調信号及び前記第２の変調信号を、通信相手との通信によって共有された情報を用いて重み付け合成して、複数の重み付け合成信号を出力する合成部と、
前記複数の重み付け合成信号を、同一周波数帯域及び同じ時間によって、前記通信相手に送信するための複数のアンテナに出力する信号出力部と、
を具備する信号生成装置。
【請求項１１】
前記第１の変調信号は、前記第１インターリーブ後のデータ系列を変調した第１変調シンボルを、データ伝送に用いる複数のサブキャリアに割り当てた第１ＯＦＤＭシンボルに変換した信号であり、
前記第２の変調信号は、前記第２インターリーブ後のデータ系列を変調した第２変調シンボルを、データ伝送に用いる複数のサブキャリアに割り当てた第２ＯＦＤＭシンボルに変換した信号であり、
前記第１インターリーバに蓄積される、前記第１インターリーブ後のデータ系列のデータ数は、前記第１ＯＦＤＭシンボルに含まれる前記データ伝送に用いる複数のサブキャリアの数と、１つの前記第１変調シンボルで伝送するビット数と、を乗じた数であり、
前記第２インターリーバに蓄積される、前記第２インターリーブ後のデータ系列のデータ数は、前記第２ＯＦＤＭシンボルに含まれる前記データ伝送に用いる複数のサブキャリアの数と、１つの前記第２変調シンボルで伝送するビット数と、を乗じた数であり、
前記第１インターリーバに蓄積される前記第１インターリーブ後のデータ系列のデータ数と前記第２インターリーバに蓄積される前記第２インターリーブ後のデータ系列のデータ数とは、同数である、
請求項１０記載の信号生成装置。
【請求項１２】
前記符号化部は、
前記送信するデータを符号化処理し、前記第１データ系列と、前記第２データ系列と、に分割して出力する
請求項１０又は１１記載の信号生成装置。
【請求項１３】
送信するデータを符号化処理した第１データ系列を蓄積し、前記第１データ系列の出力順番規則を、前記第１データ系列の入力順番規則と異なる順番規則とした第１インターリーブパターンを有する第１のインターリーバを用いて、前記第１データ系列をインターリーブし、第１インターリーブ後のデータ系列を出力し、
前記第１データ系列と異なり、送信するデータを符号化処理した第２データ系列を蓄積し、前記第１インターリーブパターンによる出力順番規則とは異なる出力順番規則である第２インターリーブパターンを有する第２のインターリーバを用いて、前記蓄積した第２データ系列をインターリーブし、第２インターリーブ後のデータ系列を出力するインターリーバステップと、
前記第１インターリーブ後のデータ系列を変調し、第１変調シンボルを出力し、
前記第２インターリーブ後のデータ系列を変調し、第２変調シンボルを出力する変調ステップと、
前記第１変調シンボルを複数のサブキャリアに割り当てた第１ＯＦＤＭシンボルに変換し、第１アンテナに出力するための、かつ、前記第２変調シンボルを複数のサブキャリアに割り当てた第２ＯＦＤＭシンボルに変換し、第２アンテナから出力するための信号出力ステップと、
を具備する信号生成方法。
【請求項１４】
前記第１インターリーバがインターリーブするデータ数は、
前記第１ＯＦＤＭシンボルに含まれるデータ伝送に用いる全てのサブキャリア数と、１つの前記第１変調シンボルで伝送するビット数と、を乗じた数であり、
前記第２インターリーバがインターリーブするデータ数は、
前記第２ＯＦＤＭシンボルに含まれるデータ伝送に用いる全てのサブキャリア数と、１つの前記第２変調シンボルで伝送するビット数と、を乗じた数であり、
前記第１インターリーバがインターリーブするデータ数と前記第２インターリーバがインターリーブするデータ数とは、同数である、
請求項１３に記載の信号生成方法。
【請求項１５】
送信するデータを符号化処理し、第１データ系列と、前記第１データ系列と異なる第２データ系列と、に分割する符号化部を、さらに具備する、
請求項１３又は１４記載の信号生成方法。
【請求項１６】
送信するデータを符号化処理した第１データ系列を蓄積し、前記第１データ系列の出力順番規則を、前記第１データ系列の入力順番規則と異なる順番規則とした第１インターリーブパターンを用いて、前記第１データ系列をインターリーブし、第１インターリーブ後のデータ系列を出力する第１インターリーバと、
前記第１データ系列と異なり、送信するデータを符号化処理した第２データ系列を蓄積し、前記第１インターリーブパターンによる出力順番規則とは異なる出力順番規則である第２インターリーブパターンを用いて、前記蓄積した第２データ系列をインターリーブし、第２インターリーブ後のデータ系列を出力する第２インターリーバと、
前記第１インターリーブ後のデータ系列を変調し、第１変調シンボルを出力する第１変調部と、
前記第２インターリーブ後のデータ系列を変調し、第２変調シンボルを出力する第２変調部と、
前記第１変調シンボルを複数のサブキャリアに割り当てた第１ＯＦＤＭシンボルに変換し、第１アンテナを用いて出力するための信号を出力する第１信号出力部と、
前記第２変調シンボルを複数のサブキャリアに割り当てた第２ＯＦＤＭシンボルに変換し、第２アンテナを用いて出力するための信号を出力する第２信号出力部と、
を具備する信号生成装置。
【請求項１７】
前記第１インターリーバがインターリーブするデータ数は、
前記第１ＯＦＤＭシンボルに含まれるデータ伝送に用いる全てのサブキャリア数と、１つの前記第１変調シンボルで伝送するビット数と、を乗じた数であり、
前記第２インターリーバがインターリーブするデータ数は、
前記第２ＯＦＤＭシンボルに含まれるデータ伝送に用いる全てのサブキャリア数と、１つの前記第２変調シンボルで伝送するビット数と、を乗じた数であり、
前記第１インターリーバがインターリーブするデータ数と前記第２インターリーバがインターリーブするデータ数とは、同数である、
請求項１６に記載の信号生成装置。
【請求項１８】
送信するデータを符号化処理し、第１データ系列と、前記第１データ系列と異なる第２データ系列と、に分割する符号化部を、さらに具備する、
請求項１６又は１７記載の信号生成装置。